(57)【特許請求の範囲】
【請求項１】
支柱（２）の上端部に前後一対の支持体（５，６）を上方に突出させて上下軸心を中心として回転自在に設け、前記支持体（５，６）間に発電機（１０）を設けるとともに、該発電機（１０）の回転軸（１１）を前記支持体（５，６）の回転軸心と直交配置し、前記発電機（１０）の回転軸（１１）に、該発電機（１０）よりも大径となる円板状のボス（１２）を前記支持体（５，６）間に配置して同軸に設けるとともに、該ボス（１２）の外周部に該ボス（１２）の半径よりも短い多数の羽根（１３）を放射状に配列固定し、前部の支持体（５）に、後端が前記ボス（１２）の外周前縁に接近する半球状の前部風ガイド（２０）を設け、後部の支持体（６）に、前端が前記ボス（１２）の外周後縁に接近する半球状の後部風ガイド（２１）を設け、前記後部風ガイド（２１）に風向舵（２３）を設けたことを特徴とする小型風力発電装置。
【請求項２】
ボス（１２）の外周部を発電機（１０）から半径方向外方に突出させ、該外周部の前面と後面とに環状の凹部（１２ａ，１２ｂ）を設け、前部の支持体（５）と後部の支持体（６）とにそれぞれ半径方向外方が開口するリング状の樋（１５，１６）を設け、該樋（１５，１６）の軸方向一端部を前記凹部（１２ａ，１２ｂ）にそれぞれ遊嵌させたことを特徴とする請求項１記載の小型風力発電装置。
【請求項３】
前部風ガイド（２０）に魚の疑似目玉（２２）を設けるとともに、風向舵（２３）は魚の尾びれ形状としたことを特徴とする請求項１又は２記載の小型風力発電装置。
【発明の詳細な説明】
【技術分野】
【０００１】
本発明は、家屋のベランダ、あるいは塀等に設置して防犯灯の電源、照明灯等の電源として活用する小型風力発電装置に関するものである。
【背景技術】
【０００２】
従来の小型風力発電装置は、発電機の回転軸に円板状のフライホイール（取付け板）を固定し、該フライホイールに細長い３枚の羽根を半径方向に大きく突出させて放射状に配列固定し、前記フライホイールの前部に半球状の保護カバーを固定し、前記発電機を、後部が半球状となる円筒状の保護カバーにより覆うようにしていた。
【０００３】
前記従来のものは、羽根を細長くして大きく捩るようにしていたため、これの製造が煩雑となり、高価になるものであった。また、該羽根が保護カバーから半径方向に大きく突出してたので、ベランダ等に設置すると、人体に接触し易くなり、危険を伴うとともに、障害物等に接触して損傷し易くなるものであった。
【特許文献１】特開２００２−２２１１４４号公報。
【発明の開示】
【発明が解決しようとする課題】
【０００４】
本発明は、羽根を短くして発電機の回転軸から半径方向外方に配置することにより、羽根形状の単純化による製作費の低減、及び安全性の高い小型風力発電装置を得ることを目的とする。
【課題を解決するための手段】
【０００５】
本発明は、上記目的を達成するために以下の如く構成したものである。即ち、請求項１に係る発明は、支柱の上端部に前後一対の支持体を上方に突出させて上下軸心を中心として回転自在に設け、前記支持体間に発電機を設けるとともに、該発電機の回転軸を前記支持体の回転軸心と直交配置し、前記発電機の回転軸に、該発電機よりも大径となる円板状のボスを前記支持体間に配置して同軸に設けるとともに、該ボスの外周部に該ボスの半径よりも短い多数の羽根を放射状に配列固定し、前部の支持体に、後端が前記ボスの外周前縁に接近する半球状の前部風ガイドを設け、後部の支持体に、前端が前記ボスの外周後縁に接近する半球状の後部風ガイドを設け、前記後部風ガイドに風向舵を設ける構成にしたものである。
請求項２に係る発明は、前記ボスの外周部を発電機から半径方向外方に突出させ、該外周部の前面と後面とに環状の凹部を設け、前部の支持体と後部の支持体とにそれぞれ半径方向外方が開口するリング状の樋を設け、該樋の軸方向一端部を前記凹部にそれぞれ遊嵌させるようにしたものである。
請求項３に係る発明は、前部風ガイドに魚の疑似目玉を設けるとともに、風向舵は魚の尾びれ形状としたものである。
【発明の効果】
【０００６】
請求項１に係る発明は、短い羽根を発電機の回転軸から半径方向外方に大きく離間させて取付け、前方から発電機及びボスの占める空間部に到来する風を前部風ガイドによって前記各羽根に案内するようにしたので、風によ羽根の駆動効率、及び羽根による発電機の駆動力がさほど低下しなくなる。また、羽根を短くしたので形状を簡素にして安価に得ることができるとともに、ベランダ、塀等に設置しても人体、障害物等に接触し難くなり、安全性が高くなる。
請求項２に係る発明は、前部の支持体と後部の支持体との間隙部に進入した雨水は、リング状の樋によって内部の発電機、軸受け部を迂回して下方に案内されることになり、発電機、軸受け部に雨水が進入し難くなる。
請求項３に係る発明は、前部風ガイドに魚の疑似目玉を設けるとともに、風向舵を魚の尾びれ形状としたので、前部風ガイド及び後部ガイドが魚の疑似胴体部を呈し、風向舵が魚の疑似尾びれを呈することになる。
【発明を実施するための最良の形態】
【０００７】
以下本発明の実施例を図面に基づいて説明する。図において、図１は本発明の実施例を示す側面断面図、図２は図１の正面図、図３は図１のIII-III拡大断面図である。
【０００８】
図１において、１は小型風力発電機であり、パイプ製の支柱２の上端部にベアリング３を介してブロック状のホルダ４を上下の軸心を中心として回転自在に取り付け、該ホルダ４に前後（図１において左右）に離間して対面する一対の支持体５，６を上方に向けて突出固定する。即ち、各支持体５，６は上下に細長い長方形状の鋼板により形成し、前部支持体５はホルダ４の前面にボルト締め固定し、後部支持体６はホルダ４の後面にボルト締め固定する。
【０００９】
前記各支持体５，６間に円形の発電機１０を配置するとともに、該発電機１０の回転軸１１を前記支持体５，６の回転軸心と直交する水平に配置し、回転軸１１を回転自在に支持する後部ケース１０ｂは後部支持体６に固定する。また、回転軸１１に一体に連結される前部ケース１０ａに大径かつ円板状のボス１２を同軸にボルト締め固定し、該ボス１２の外周部に、図２に示すように、９枚の短い羽根１３を放射状に配列して固定する。本例では、前記ボス１２の直径は発電機１０の直径の約２．３倍とし、また、前記羽根１３の長さはボス１２の直径の約４分の１とする。 
【００１０】
前記発電機１０から半径方向外方に突出する各支持体５，６の外周部の前後面に環状の凹部１２ａ，１２ｂを形成する。また、前部支持体５と後部支持体６とにそれぞれ半径方向外方（外周側）が開口するリング状の樋１５、１６を同軸に固定し、該樋１５，１６の軸方向一端部を前記凹部１２ａ，１２ｂにそれぞれ遊嵌させる。
【００１１】
前記前部支持体５及び後部支持体６にそれぞれ前後方向に長くした半球状の前部風ガイド２０及び後部風ガイド２１を互いに対面させて固定する。前部風ガイド２０はその後端を前記ボス１２の外周前縁に接近させ、該前部風ガイド２０の前部の左右側に一対の疑似目２２を取り付ける。また、後部風ガイド２１はその前端を前記ボス１２の外周後縁に接近させ、該後部風ガイド２１の後部に風向舵２３を取り付ける。該風向舵２３は後部支持体６に固定した取付板２４を介して取り付ける。前記風向舵２３は、図１の実線で示すように、鯉の尾びれ形状、あるいは同図の仮想線で示すように、金魚の尾びれ形状にしている。
【００１２】
前述したホルダ４に箱船形の容器２５を取り付ける。該容器２５は、発電機１０のリード線保護管２６の下部を収容して支柱２内に案内したり、ボス１２、羽根１３から流下する雨水を一次貯留したりするようになっている。なお、前記前後部の支持体５，６に羽根１３を包囲する環状の金網を取り付けて安全性を高めるようにしてもよい。
【図面の簡単な説明】
【００１３】
【図１】本発明の実施例を示す側面断面図である。
【図２】図１の正面図である。
【図３】図１のIII-III拡大断面図である。
【符号の説明】
【００１４】
１    小型風力発電機
２    支柱
３    ベアリング
４    ホルダ
５    前部支持体
６    後部支持体
１０    発電機
１０ａ  前部ケース
１０ｂ  後部ケース
１１    回転軸
１２    ボス
１２ａ，１２ｂ  凹部
１３    羽根
１５，１６    樋
２０    前部風ガイド
２１    後部風ガイド
２２    疑似目玉
２３    風向舵
２４    取付板
２５    容器
２６    リード線保護管
【図１】
0004571031.tif 000002
【図２】
0004571031.tif 000003
【図３】
0004571031.tif 000004